(57)【要約】      （修正有）【課題】医療分野での自動化された試料準備と分析において、液体の正確な量を媒体上又は媒体内に分注するために、デジタル分注装置から１以上の流体を吐出するためのシステムと方法。【解決手段】方法は、（ａ）デジタル分注装置から吐出される各１以上の流体の単位面積あたりのボリュームをメモリに入力することと、（ｂ）単位面積あたりのボリュームをデジタル分注装置の装置解像度に符合させることと、（ｃ）装置解像度にデジタル分注装置のための流体吐出器をフォーマットすることと、（ｄ）各１以上の流体の領域あたりのボリュームを提供するため、デジタル分注装置から流体を吐出することとを含む。【選択図】図１０
2020126044.tif 000002
【特許請求の範囲】
【請求項１】
デジタル分注装置から１以上の流体を吐出する方法であって、
（ａ）メモリに、前記デジタル分注装置から吐出される各前記１以上の流体の単位面積あたりのボリュームを入力するステップと、
（ｂ）前記単位面積あたりのボリュームを前記デジタル分注装置の装置解像度に符合させるステップと、
（ｃ）前記デジタル分注装置の流体吐出器を前記装置解像度にフォーマットするステップと、
（ｄ）各前記１以上の流体の前記単位面積あたりのボリュームを提供するため、前記デジタル分注装置から流体を吐出するステップと
を含む方法。
【請求項２】
前記単位面積あたりのボリュームが前記デジタル分注装置の前記装置解像度よりも大きい、
請求項１に記載の方法。
【請求項３】
前記単位面積あたりのボリュームが前記デジタル分注装置の前記装置解像度以下である、
請求項１に記載の方法。
【請求項４】
ステップ（ｄ）の後に、（ｅ）セパレータを入力するステップと、ステップ（ａ）〜（ｄ）を繰り返すことを更に含む、
請求項１に記載の方法。
【請求項５】
前記セパレータが流体堆積の間の待機時間を含む、
請求項４に記載の方法。
【請求項６】
前記セパレータが流体堆積の間の流体カートリッジ交換を含む、
請求項４に記載の方法。
【請求項７】
前記セパレータが流体堆積の間のユーザへの物理的性質フィードバックループを含む、
請求項４に記載の方法。
【請求項８】
前記セパレータが流体堆積の間のユーザへの化学的性質フィードバックループを含む、
請求項４に記載の方法。
【請求項９】
４０の異なる流体までの前記１以上の流体のためステップ（ｅ）を繰り返すことを更に含む、
請求項１に記載の方法。
【請求項１０】
（Ａ）１以上の第1の流体を吐出するためのデジタル分注装置と、
（Ｂ）各前記１以上の流体の単位面積あたりのボリュームをコンピュータのメモリに入力するための入力と、
（Ｃ）前記単位面積あたりのボリュームを前記デジタル分注装置の装置解像度に符合させるための変換装置と、
（Ｄ）前記デジタル分注装置の前記装置解像度に応じて前記デジタル分注装置の流体吐出器をフォーマットするためのプロセッサと、
（Ｅ）各前記１以上の流体の前記単位面積あたりのボリュームを提供するため、前記デジタル分注装置から前記１以上の第１の流体を吐出するための前記流体吐出器を含む第１の流体カートリッジと
を含む、流体分注システム。
【請求項１１】
前記単位面積あたりのボリュームが前記デジタル分注装置の前記装置解像度よりも大きい、
請求項１０に記載の流体分注システム。
【請求項１２】
前記単位面積あたりのボリュームが前記デジタル分注装置の前記装置解像度以下である、
請求項１０に記載の流体分注システム。
【請求項１３】
（Ｆ）前記流体カートリッジにより堆積される各前記１以上の流体の間のセパレータ
を更に含む、
請求項１０に記載の流体分注システム。
【請求項１４】
前記セパレータが流体堆積の間の待機時間を含む、
請求項１３に記載の流体分注システム。
【請求項１５】
前記セパレータが流体堆積の間のユーザへの物理的性質フィードバックループを含む、
請求項１３に記載の流体分注システム。
【請求項１６】
前記セパレータが流体堆積の間のユーザへの化学的性質フィードバックループを含む、
請求項１３に記載の流体分注システム。
【請求項１７】
前記デジタル分注装置から１以上の第２の流体を吐出するための流体吐出器を含む第２の流体カートリッジ
を更に含む、
請求項１０に記載の流体分注システム。
【請求項１８】
（Ｆ）各前記１以上の第１の流体と、各前記１以上の第２の流体との間のセパレータ
を更に含み、
前記セパレータが前記第１の流体カートリッジから前記第２の流体カートリッジへの交換を含む、
請求項１７に記載の流体分注システム。
【請求項１９】
（Ｇ）前記第１の流体カートリッジにより吐出される各前記１以上の第１の流体の位置と単位面積あたりのボリュームを表すためのディスプレイ
を更に含む、
請求項１０に記載の流体分注システム。
【請求項２０】
（Ｇ）前記第２の流体カートリッジにより吐出される各前記１以上の第２の流体の位置と前記単位面積あたりのボリュームを表すためのディスプレイ
を更に含む、
請求項１７に記載の流体分注システム。
【発明の詳細な説明】
【技術分野】
【０００１】
［関連出願］
本願は、現在係属中である、２０１９年１月４日付で出願された仮出願番号６２／７８８，２９０の優先権を主張し、また、現在係属中である、２０１９年５月３０日付で出願された米国出願番号１６／４２６，１３７に関連する。
【０００２】
本開示は、基板の正確な領域に封じられた試料の分析を行うため、又は基板の所定の領域に材料の層を構築するため、基板の正確な領域上又は正確な領域内に1以上の流体を正確に分注するために用いられる装置と方法に関する。
【背景技術】
【０００３】
インクジェット装置といった装置は、通常、ピコリットルで測定される非常に小さなインクの液滴を基板上に分注できる。インクジェット印刷の応用では、堆積されるインクのボリュームは比較的少ない量であり、このボリュームは調色や印刷品質といった他の要因ほど重要ではない。液滴の数はユーザにより特定又は制御されず、このためユーザは特定の印刷の応用で必要とされるよりも多い又は少ないインク液滴の分注を特定することができない。典型的なインクジェットプリンタは、約２から約３μＬ／ｃｍ２の堆積に制限されている。
【０００４】
しかし、液体の正確な量を媒体上又は媒体内に分注することを要するその他の応答では、流体ボリュームは非常に重要及び／又は重大な要因でありうる。いくつかの応用にて、あるボリュームの流体を特定の領域内又は特定の領域上に堆積するよう特定することは有用でありうる。１つの例は、ウェルプレートのウェルに、単一の細胞を含む流体の単一の液滴を吐出する場合である。別の例としては、ウェルプレートの３８４個のウェルぞれぞれを充填するといった、ある大きな数の流体液滴を小さな領域内に分注する場合である。従って、ウェルプレートのウェル内に堆積される流体の密度は、２５０μＬ／ｃｍ２以上の流体の分注を要する可能性がある。同様に、ガラススライド上の試料を分析するためのガラススライド上への流体の堆積は、流体の厳密に制御された量がガラススライドの特定の領域上に堆積されることを要する。
【０００５】
特に、医療分野において、自動化された試料準備と分析の必要性がある。分析は、比色分析、又は顕微鏡下で試料をより好ましく観察するため、試料の着色を要する可能性がある。そのような分析は、薬剤試料分析、血液試料分析、等を含む。例えば、血液の分析において、血液は個人の健康を判定するために用いられるいくつかの異なる要因を提供するため分析される。血液試料分析を要する多くの患者がいる場合、手順は非常に時間がかかるものとなる。また、結果が信頼できるものであるよう、試料の正確な準備の必要がある。複数の試料の微量滴定といった、正確で再現可能な結果を提供する分析機器の使用の恩恵を受けることのできる医療分野やその他の分野において、試料分析を要するその他の多くの状況がある。
【０００６】
多くの実験と検査手順にて、ウェルプレート、スライド、そしてその他の基板が用いられる。ウェルを充填する又はスポッティングする手順は、手作業又は高価な検査機器を用いて行われることが多い。場合によっては、ウェルは手動ピペットで充填される。その他の場合では、ウェルプレートの充填はピペット技術に基づいた高性能自動装置が使用される。そのような自動装置はオープンウェル分注ヘッドを収容するのみである。オープンウェル分注ヘッドは、使用前に分注ヘッドの開口内に少量の流体が堆積されなければならない分注ヘッドである。流体は、典型的にピペット又は類似の方法で手動で堆積される。分注ヘッドは、マイクロプレートをＸとＹ方向両方に動かす間、静止して保持される。これら高性能装置は非常に高価である。
【０００７】
マイクロ回路製造の分野において、基板上に回路装置を提供するため、流体は正確な位置に分注される必要がある。単位面積毎に分注される流体のボリュームは、典型的に、従来のインクジェット印刷技術により提供されるものよりも大きい。場合によっては、流体に化学的又は物理的変化を与えるため、異なる流体が基板上で共に組み合わされ、結果として生じる材料が所望の回路機能を果たすようにする。
【０００８】
マイクロ製造の他の分野も、基板内又は基板上の流体の正確な堆積を必要としうる。このため、基板の単位面積毎の所定のボリュームの1以上の流体の堆積を、プログラム、分注、そして視覚化するために用いることのできる方法と装置の必要性がある。
【発明の概要】
【０００９】
従って、本開示の１つの実施形態は、1以上の流体をデジタル分注装置から吐出するシステムと方法を提供する。方法は、（ａ）デジタル分注装置から吐出される１以上の流体のそれぞれの単位面積あたりのボリュームをメモリに入力するステップと、（ｂ）単位面積あたりのボリュームをデジタル分注装置の装置解像度に合わせるステップと、（ｃ）デジタル分注装置の流体吐出器を装置解像度にフォーマットするステップと、（ｄ）各１以上の流体の単位面積あたりのボリュームを提供するため、デジタル分注装置から流体を吐出するステップとを含む。
【００１０】
本開示のもう１つの実施形態は、流体分注システムを提供する。流体分注システムは、Ａ）デジタル分注装置から１以上の第１の流体を吐出する、デジタル分注装置と、Ｂ）コンピュータのメモリに１以上の第1の流体のそれぞれの単位面積あたりのボリュームを入力する、入力と、Ｃ）単位面積あたりのボリュームをデジタル分注装置の装置解像度に合わせる、変換装置と、Ｄ）デジタル分注装置の装置解像度に応じてデジタル分注装置の流体吐出器をフォーマットする、プロセッサと、Ｅ）各１以上の第１の流体の単位面積あたりのボリュームを提供するため、デジタル分注装置から１以上の第1の流体を吐出する流体吐出器を含む、第１の流体カートリッジとを含む。
【００１１】
１つの実施形態において、単位面積あたりのボリュームは、デジタル分注装置の装置解像度よりも大きい。別の実施形態において、単位面積あたりのボリュームは、デジタル分注装置の装置解像度よりも小さい。
【００１２】
いくつかの実施形態において、ステップ（ｄ）の後にセパレータが入力され、ステップ（ａ）〜（ｄ）が繰り返される。
【００１３】
いくつかの実施形態において、セパレータは流体堆積の間の待機時間である。
【００１４】
他の実施形態において、セパレータは流体堆積の間の流体カートリッジ交換である。
【００１５】
いくつかの実施形態において、セパレータは流体堆積の間のユーザへの物理的性質のフィードバックループである。
【００１６】
他の実施形態において、セパレータは流体堆積の間のユーザへの化学的性質のフィードバックループである。
【００１７】
いくつかの実施形態において、セパレータが入力され、４０の異なる流体までを含む１以上の流体のため繰り返される。
【００１８】
いくつかの実施形態において、流体分注装置は、デジタル分注装置から１以上の第２の流体を吐出する流体吐出器を含む第２の流体カートリッジを含む。
【００１９】
いくつかの実施形態において、流体分注装置は、流体カートリッジにより吐出される各１以上の流体の位置と単位面積あたりのボリュームを表すディスプレイを含む。
【００２０】
ここで説明されるシステムと方法は、１以上の流体の正確な量が基板の所定の領域に吐出されるよう、基板内又は基板上への１以上の流体の堆積を視覚化するために用いられてもよい。このため、システムと方法は、試料の分析を行うため、そして電子及びその他の装置のマイクロ製造のために用いられてもよい。
【００２１】
システムと方法は、特定ボリュームの流体を特定の領域上に正確に分注するための方法を提供し、潜在的に異なる流体を表す如何なる数のデータチャネルにも拡張可能な、画像のような形式でボリュームデータを表す方法を含む。加えて、方法は何層のデータにも拡張可能であり、各層はセパレータにより分離される。データは、プリンタ又は潜在的なその他の分注装置に流体を媒体内又は媒体上に正確に吐出させる方法で処理されてよい。
【図面の簡単な説明】
【００２２】
【図１】図１は、デジタル分注装置により用いられるデータの処理のフロー図である。
【図２】図２は、デジタル分注装置とそのユーザインターフェイスの斜視図である。
【図３】図３は、図２のデジタル分注装置の破断斜視図である。
【図４】図４は、画素位置に配置された流体液滴の画像表現である。
【図５】図５は、画素位置に配置された流体液滴の画像表現である。
【図６】図６は、図２デジタル分注装置からの流体を受け入れるトレイ上のマイクロウェルプレートの斜視図である。
【図７】図７は、図２のデジタル分注装置のＦＶＦデータを生成するフロー図である。
【図８】図８は、図２のデジタル分注装置を用いて基板上に流体の層を分注するための簡略化したフロー図である。
【図９】図９は、流体１からＮの、図２のデジタル分注装置により基板上に堆積された流体層の画像表現である。
【図１０】図１０は、図２のデジタル分注装置のための処理データのためのソフトウェアプログラムにより、基板上に流体を分注する処理フロー図である。
【図１１】図１１は、様々なデジタル分注装置の解像度に応じて、流体堆積のため総ボリュームがどう分割されるかの画像表現である。
【図１２】図１２は、様々なデジタル分注装置の解像度に応じて、流体堆積のため総ボリュームがどう分割されるかの画像表現である。
【図１３】図１３は、様々なデジタル分注装置の解像度に応じて、流体堆積のため総ボリュームがどう分割されるかの画像表現である。
【図１４】図１４は、様々なデジタル分注装置の解像度に応じて、流体堆積のため総ボリュームがどう分割されるかの画像表現である。
【図１５】図１５は、基板の特定の領域上又は特定の領域内に堆積された流体の、デジタルディスプレイ上の画像表示である。
【図１６】図１６は、基板の特定の領域上又は特定の領域内に堆積された流体の、デジタルディスプレイ上の画像表示である。
【図１７】図１７は、基板の特定の領域上又は特定の領域内に堆積された流体の、デジタルディスプレイ上の画像表示である。
【発明を実施するための形態】
【００２３】
従来のインクジェット印刷装置に対し、本開示の実施形態は、流体の所定の量の分注を制御するために要するボリューム／領域を定義するのに適した、独特なデータ形式を提供する。ここで説明されるデータ形式は「ＦＶＦ形式」として言及され、「ＦＶＦデータ」を含む。ＦＶＦ形式のデータは、特定の領域上に流体の特定のボリュームを正確に分注するため、流体分注装置に特有の方法で処理される。図１は、ＦＶＦ形式のための全体的な処理フロー１０を示す。デジタル分注装置１４（図２〜３）により用いられるようＦＶＦデータ１２をエンコードするため、ラスターといった既存の画像形式に似たデータ形式が用いられてよい。デジタル分注装置１４の破断図が図３に示され、取り外し可能なカートリッジ１５と、トレイ３０を横切るｘ軸方向にカートリッジを移動させる変換装置１７とを含む。カートリッジ１５は、単一の流体又は複数の流体と、基板上に流体を堆積させるための吐出ヘッドとを含んでよい。カートリッジ１５は取り外し可能であってよく、基板上の１以上の異なる流体の堆積のため、新たな又は異なるカートリッジがデジタル分注装置１４に取り付けられる。
【００２４】
従来の画像形式は、基板上の特定のｘ，ｙ位置で所望の色を特定する。従って、カートリッジがｘ方向で基板を横断する間、トレイ３０は基板をｙ方向に移動してもよい。従来の画像形式はインターリーブされることも多く、これは記述できるチャネルの数を制限する。これに対し、ＦＶＦ形式は各チャネルを分かれたプレーンとして記述し、如何なる数のプレーンもサポートする。従って、１つのデータセットに如何なる数の流体チャネルをも記述でき、チャネルデータをインターリーブするのではなく、各チャネルのデータを別々に記述するのに最も容易である。
【００２５】
単純な図示として、ＦＶＦデータは、図４に示されるように、画素２４のアレイ２２を定義してもよく、画素２４のアレイ２２内の数字は、特定の画素位置２６に分注される液滴数を示す。値０は０滴を意味し、１は１滴を意味し、２は２滴といったように意味する。ＦＶＦ形式は、多くのチャネル又は流体を、定義されるプレーン数を制限することなく、独立して定義することも可能とすると共に、吐出される流体組合せの層を特定する方法を可能とする。
【００２６】
アレイ２２に示されるように、画素位置２６は１８個の画素２４を含むと特定される。画素位置２６の所望の総量が１０，０００ｐＬであり、装置１４が１０ｐＬの液滴サイズを吐出すると仮定し、各画素２４の液滴数は次のように算出される：図４に示されるように、１０，０００ｐＬ／（１０ｐＬ／滴）／１８画素＝５５．５６滴／画素。
【００２７】
前記例は、画素あたり０．５６滴の総誤差、又は計１０．０８滴となる。残りの液滴は、様々な技術を用いて１８画素の目標画素位置２６上に容易に拡散されることができる。そのような結果の１つが図５に示され、１０個の画素２４の量に１滴が加えられる。従って、画素位置２６のＦＶＦデータ形式は、デジタル分注装置１４の１液滴サイズ以下内の精度を有する。
【００２８】
第２の、より具体的な図示として、流体のマイクロウェルプレート分注に一般的なボリュームと解像度を考える。デジタル分注装置のトレイ３０に設けられた従来のマイクロウェルプレート２８が図６に示される。マイクロウェルプレート流体分注の応用に要する流体ボリュームは、典型的に、インクジェット印刷の応用で要するボリュームの数倍である。例えば、９６ウェルマイクロウェルプレートは、通常円形である正確に寸法されたウェル３２を有する。マイクロウェルプレート２８のウェル３２内に直径４ｍｍの円形領域を用いて分注することを望む場合、ウェル３２の総面積は１２．５７ｍｍ２である。ウェルプレート面積を画素に変換するため、画素データの解像度が決定されなければならない。典型的なインクジェット解像度は３００ｄｐｉ（ｄｏｔｓ  ｐｅｒ  ｉｎｃｈ）である。３００ｄｐｉを装置解像度として用いると、１ｍｍ＝１１．８１／３００を得る。３００ｄｐｉ解像度に基づき、直径４ｍｍのウェルの面積計算は次のとおりである：
半径＝２ｍｍ＝１１．８１×２＝２３．６２／３００
面積＝３．１４１５×（２３．６２）２＝３００ｄｐｉで１７５２．６５画素
端数の画素などというものはないため、結果は１７５２画素に丸められる。
【００２９】
次に、これら１７５２画素の画素値が決定される。この例では次と仮定する：
所望の量＝１ｕＬ＝１，０００，０００ｐＬ
液滴量＝１０ｐＬ
【００３０】
一般的に、「所望のボリューム」は応用のパラメータであり、「液滴ボリューム」は流体を分注するために用いる流体吐出カートリッジの特性である。
【００３１】
直径４ｍｍのウェル３２に１０ｐＬの液滴を用いて１ｕＬを注ぐため、次が算出される：１，０００，０００÷１０＝１００，０００滴。
【００３２】
選択された領域に対し均一な適用が望まれると仮定し、１００，０００滴が画素領域に次のように拡散される：１００，０００／１７５２画素＝画素あたり５７．０８滴、画素あたり５７滴に丸められる。このため１７５２画素の各画素は、画素あたり５７滴の値を有する。前記は画素あたり−０．０８滴の誤差が許容可能と仮定しているが、誤差を相殺する方法がある。
【００３３】
ウェルプレート２８上の正しい位置に円形領域を配置するため、画素値０がウェル３２間の空間３４を意味するために用いられる。この方法を用い、液滴ボリュームと位置が特定できるラスタ形式が構築できる。
【００３４】
画素あたり５７滴に丸められた画素あたり５７．０８滴に関連づく誤差を減少させることが望まれる場合、僅かにより複雑なアルゴリズムをＦＶＦデータを生成するために用いることができる。より複雑なアルゴリズムの使用を理解するため、誤差は先ず画素あたり５７．０８滴を画素あたり５７滴に丸めるため次のように算出される：
画素あたり５７．０８滴×１７５２画素＝１００００４．１６滴
画素あたり５７滴×１７５２画素＝９９８６４滴
差異は１４０滴であり、大きな数字ではない。ただし、応用によっては１４０滴は重要でありえ、その他の例において誤差は０．０８ではなく０．４９でありえ、より大きな誤差となる。
【００３５】
１７５２画素の各画素に画素あたり５７滴を設定する代わりに、より正確な分注ボリュームを与えるため、丸め誤差を蓄積する方法を使用してもよい。この方法によれば、画素あたりの液滴は丸めるのではなく切り捨てられ（ｔｒｕｎｃａｔｅ）、画素あたり５７．０８滴は画素あたり５７滴となり、画素あたり５７．９９滴も画素あたり５７滴となる。各画素は次のように算出される：
実画素値＝実画素値＋蓄積された誤差
画素値＝ｔｒｕｎｃａｔｅ（実画素値）
蓄積された誤差＝（実画素値−画素値）
【００３６】
この方法により、誤差は蓄積され、上記例によれば切り捨て後の値が５７ではなく５８になるように、最終的に十分に蓄積される。前記方法は、誤差を１滴ボリューム以内に減少することができる。
【００３７】
上記例のＦＶＦデータは画素あたり１バイトとして説明したが、ＦＶＦデータは画素あたり１バイトに限定されない。ＦＶＦ形式自体は画素を記述するため如何なるバイト数を用いることも可能とするが、実際には画素あたり４バイトの最大値が、おそらく使用される最大値になる。
【００３８】
ＦＶＦデータの各組はヘッダと関連データとから成り、ヘッダは次を含むデータの様々な様態を記述するが、これに限定されない：
１．データ長
２．データ高
３．画素あたりのバイト
４．データチャネル数
５．水平画素解像度
６．垂直画素解像度
７．原基準ボリューム
８．最大値
９．ボリューム乗数
１０．最大周波数
ここで、「原基準ボリューム」はｐＬの値で定義され、通常は液滴ボリュームであるファイルを生成するために用いられる。原基準ボリュームは、異なる液滴ボリュームを変換するために用いられる。「最大値」は画素データ内に見つかる最大画素値として定義される。「ボリューム乗数」は、乗数として各画素に適用される値として定義され、潜在的にいくらかの分注ボリューム精度を犠牲にして、比較的低い画素データあたりのバイトにおける比較的高い量を表すために用いることができる。「最大周波数」は、デジタル分注装置１４の最高速度に影響しうる、データが分注される最大周波数を特定する値として定義される。
【００３９】
ヘッダにおけるＦＶＦデータの上記様態に加え、特定の応用のみが用い、その他の応用では無視される、応用固有値がヘッダデータに含まれ存在しうる。例えば、多くのインクジェットプリンタが、特定の流体吐出不良が発生することを防ぐため、データを効果的に拡散するためのシングリングとも呼ばれるディザリングのレベルを用いる。シングリングレベルのヘッダ値が、デジタル分注装置１４にデータをどう分注するかの情報を通信してもよく、異なる装置はシングリングレベルのヘッダ値を無視してもよい。
【００４０】
図７は、ＦＶＦデータ生成のフロー図である。処理の第１ステップ４２において、ボリュームを有する「ジョブ」の領域が識別され、各チャネルの領域あたりのボリュームが決定される。各ボリュームの形状は、正方形、円形、三角形、楕円形等、又はより複雑な形状を含む。ユーザは画像プログラムで形状を描くことができ、このため如何なる所望の形状、及び特定の領域において分注される画素あたりのボリュームも特定できる。このため、領域は異なる形状と異なる画素あたりのボリュームを有することができる。
【００４１】
処理の次のステップ４４において、特定の領域の画素数を決定するため、面積が算出される。画素数を決定するために用いる方法は、領域の形状による。非常に複雑な形状に対しては、算出方法は実際の画素数ではなく画素数の推定であってよい。最後に、ステップ４６において、ＦＶＦデータの各画素の値が決定される。前記処理は、特定の流体分注の応用により必要とされる各流体又はチャネルのため繰り返される。
【００４２】
前記ＦＶＦデータ記述は、もし概念が３次元流体分注の応用に拡張されるならば、３次元がｚ軸ではなく時間であっても、単一層に流体を分注するものとして捉えることができる。流体層の概念は多くの異なる応用で有用である。各流体層は、様々な理由により、層セパレータにより隣接層から分離されてよく、各流体層のパラメータは異なる応用で異なってよい。
【００４３】
いくつかの応用において、層セパレータは、分注された流体が乾燥するのに要する時間、分注された流体を適切に混合する時間、又は化学反応が完了する時間であってよい。その他の応用において、層セパレータは、第１のカートリッジからの第１の流体の後に第２の流体を分注することを要する場合、第２のカートリッジに変換する促しであってよい。いくつかの応用において、各カートリッジは、４つの流体といった、２以上の流体を分注してもよい。
【００４４】
その他の応用において、層セパレータは、次の流体層が分注される前に起こり得る、温度、硬さ、ｐＨ、密度、又はその他の物理的特性変化といった、層の何らか特性を測定する外部装置により供給される外部信号であってよい。層セパレータは、基板又は層を動かすこと、又は、格子を配置する、流体を乾燥または硬化させるため熱又は光を提供する、追加的な流体分注を含まない他の操作といった、流体分注ジョブのもう１つのステップを供給することのいずれかにより、基板又は層を何らかの方法で扱う外部装置であってよい。また別の応用において、層セパレータは、流体層分注の間の待機時間であってよい。本開示に基づき用いられうる層の数と層セパレータに特定の限定はない。図８は、流体分注ステップ間の層セパレータを伴い流体の層を分注する簡略化したフロー図５０を示す。特定の領域に分注される流体層が、デジタル分注装置１４により分注される流体１からＮについて、図９に概略的に示される。
【００４５】
上述したように、本開示による方法は、デジタル分注１４のためのＦＶＦデータをフォーマットし、入力は定義された領域上にもたらされる流体のボリュームである。前記計算により生成される入力データは、ＸとＹ軸の両方を効果的に表すのみならず、図９に概略的に示されるように量を表すＺ軸も導入する画像である。加えて、一度に１以上のチャネル又は流体を分注するとき、異なるチャネル又は流体をトレースするため４次元が導入される。
【００４６】
前記方法は、単一の操作で流体の全量をマイクロプレートのウェルにプリントする従来の電子分注システムに対して利点を提供する。前記方法は、複数の分注ヘッド経路と、吐出ヘッドの分注ヘッド列に沿った複数の流体吐出器にわたり、分注される流体のボリュームを拡散できる。これは、欠如または性能低下した流体吐出器の影響を最小限にする。所望の分注精度及び吐出器が正確に動作しない可能性により、使用する流体吐出器の最低数を特定又は算出できる。
【００４７】
図１０は、特定の流体分注タスクを完了するためデジタル分注装置１４による複数の流体の分注を順序付ける、コンピュータのメモリ又はデジタル分注装置１４のメモリに存在するソフトウェアプログラムにより実装される処理フロー図６０を示す。処理フロー図６０によると、ステップ６２にて流体分注タスクが識別される。識別されると、ステップ６４にて１以上の流体が同時又は連続して基板上に分注される。反応が起こることを要する場合、層セパレータ６６は、使用中の流体と実行中の特定の流体分注タスクに応じて大きく異なりうる、組み込まれた待機時間、色変化、温度変化、密度変化、又はその他の流体性質入力といったハードウェア入力６８、及び／又はユーザインターフェイス７０からのユーザ入力を提供する。ユーザ入力は、流体カートリッジ変更、流体選択変更、流体ボリューム変更、目視、又は流体分注タスクにより要されるその他のユーザ入力から選択されてよい。ステップ７２において、流体分注タスクを完了するため継続して流体を分注するか、ステップ７４にて流体分注タスクを完成するかが、ソフトウェアプログラムにより判定される。
【００４８】
従って、図１０に記載された分注システム処理は、流体分注タスク処理におけるエラー低減のため、自動化されたジョブを生成するため使用できる、及び／又は人間による入力を要する分析ステップを記述しシステムにより表示できる。
【００４９】
ＦＶＦデータは汎用的であり、ほとんどの部分はデジタル分注装置１４に特定されるものではない。ただし、応用レベルでは、デジタル分注装置１４の独特な特性が関わりうる。特定の装置又は応用では、実行できる流体分注ジョブの範囲が非常に狭い可能性が高い。例えば、デジタル分注装置は、マイクロウェルプレート内又は基板上に流体を印刷又は分注するのみでありうる。また、デジタル分注装置は、ウェル内に一度に１つ流体を分注するピペット機器の使用といった、非常に特殊な方法で流体堆積タスクを実行しうる。従って、ＦＶＦデータの処理は装置により様々である。
【００５０】
再び図１を参照し、最初のステップ１６はＦＶＦデータを電子装置１４の出力解像度に符合するよう処理する。ＦＶＦデータを符合させることは、解像度のアップサンプル又はダウンサンプルと共に、原基準ボリュームを用いた倍率を含んでよい。例えば、ＦＶＦデータが６００×６００ｄｐｉだがデジタル分注装置の出力が１２００×１２００ｄｐｉの場合、ＦＶＦデータの解像度変更が必要となる。１２００×１２００ｄｐｉの解像度は、水平に入力ＦＶＦデータの２倍の画素があり、Ｙ又は垂直面に入力ＦＶＦデータの２倍の画素があることを意味する。６００×６００ｄｐｉの１つの画素は、同一の領域に１２００×１２００ｄｐｉの４つの画素を含むことができる。層の流体の総ボリュームが一定に保たれる場合、流体のボリュームは６００×６００ｄｐｉの画素を１２００×１２００ｄｐｉの画素上に拡張するために分割される必要がある。
【００５１】
図１１〜１４は、総ボリュームが異なる装置解像度にどう分割されるかを示す。例えば、図１１を参照し、ＦＶＦデータが６００×６００ｄｐｉの画素（画素領域８０）に２０滴の流体を要し、画素領域８２の装置解像度が６００×１２００ｄｐｉの場合、２０滴は、特定の画素領域に流体の均等なボリュームを得るため、画素領域８２の６００×１２００ｄｐｉの各画素には１０滴が分注され、画素領域８４の１２００×１２００ｄｉｐの各画素には５滴が分注される。
【００５２】
図１２は、奇数の流体液滴が分注される例を示す。例えば、ＦＶＦデータが画素領域９０に６００×６００ｄｐｉで２５滴の流体を要する場合、画素領域９２の６００×１２００ｄｐｉの画素は、２５滴を提供するために、画素領域９２の１つの部分に１２滴、画素領域９２の他の部分に１３滴を要する。同様に、画素領域９４の１２００×１２００ｄｐｉの画素は、２５滴を得るため、画素領域９４の３つの部分に６滴、画素領域９４の１つの部分に７滴を要する。
【００５３】
図１３に示される別の例において、ＦＶＦデータが解像度６００×６００ｄｐｉで画素領域１００に２滴を要する場合、６００×１２００ｄｐｉの画素は画素領域１０２の各部に１滴を要する。ただし、１２００×１２００ｄｐｉの画素の画素領域１０４は画素領域１０４の２つの部分に１滴、画素領域１０４の他の２つの部分には０滴を有する。
【００５４】
図１４は、ＦＶＦデータがデジタル分注装置よりも高い解像度である状況を示す。この場合、ＦＶＦデータはダウンサンプルされる必要がある。従って、装置解像度が３００×３００ｄｐｉ出力の場合、画素領域１１０の６００×６００ｄｐｉの画素は、１つの３００×３００ｄｐｉの画素領域１１２に組み合わされなければならず、示されるように画素領域１００の４画素の合計となる。
【００５５】
再度図１を参照し、処理の次のステップ１８はボリュームデータの変換である。ヘッダ情報からの原基準ボリュームに基づき、装置液滴サイズが原基準ボリュームに符合しない場合、画素値を流体カートリッジの液滴サイズに変換する必要がある。このような状況は、ＦＶＦデータが異なる装置又はカートリッジのために生成された場合、又は同じ装置だがカートリッジの流体特性が原基準ボリュームに符合しない場合に起こる。流体によっては同一のカートリッジ内に異なる液滴ボリュームを有する可能性がある。ステップ１８は、処理においてステップ１６の前、又はステップ１６と同時に行われてもよい。
【００５６】
最後のステップ２０は、改変されたＦＶＦデータを取得し、デジタル分注装置１４が認識するデータストリーム内にＦＶＦデータをフォーマットすることである。ステップ２０は装置１４自身、又は装置１４にフォーマットされたデータを供するホストアプリケーションで行われてもよい。ステップ２０で生成されたフォーマットは、装置１４の印刷データの典型である。
【００５７】
開示された実施形態の利点のいくつかには次を含むが、これに限定されない：
１）特定の領域に分注される流体の量を正確に特定する能力
２）流体堆積を如何なる数のチャネルにも拡張する能力
３）大きなボリュームを扱うため、基準ボリュームとボリューム乗数を用いて流体のボリュームを拡大縮小する能力
４）画素あたりのバイト数を特定する能力
５）層と、分注処理の間に様々な動作又は待機時間を可能とする流体分注ステップ間の層セパレータの使用
６）媒体上又は媒体内に正確に流体を分注するため、広範な流体分注装置により使用されることができる形式にデータを変換する能力
【００５８】
デジタル分注装置により分注された流体を視覚化するため、領域あたりの流体ボリューム情報が、領域を表すＸとＹ軸両方と、流体１からＮのボリュームを表すＺ軸を表す、図１５〜１７に示されるような図形画像として、ユーザインターフェイス７０に表示されてよい。加えて、一度に１以上のチャネル又は流体を分注するとき、異なるチャネル又は流体を追跡するため４次元が導入される。
【００５９】
医療マイクロウェルプレート２８、ガラススライド、又はその他の基板といった、ボリュームが重要な入力である応用で流体を分注するとき、使用される各流体のボリュームの有用な視覚化表現をユーザに表示できることが重要である。ウェル３２によっては大きなボリュームを保持できることから、最大ボリュームの流体を最大として用い、残りの流体を最大ボリュームの流体に対し拡大縮小する相対ボリューム表示が、液体を相互に比較する1つの方法である。絶対ボリューム比率は、流体量が視覚的に有用な情報を提供するのに十分でない可能性があることから、大きなウェル内の流体には有用でない。
【００６０】
図１において、２つの流体のための棒グラフ１２０と１２２が、ウェルプレート２８の単一のウェル３２内、ガラススライド上、又はその他の基板上の、各流体の相対ボリュームを表し、１２４は分注された流体の絶対総ボリュームを表す。図１６において、２つの流体のための棒グラフ１２０と１２２は、繰り返しとなるが、スライド上又はウェルプレート２８の単一のウェル３２内の各流体の相対ボリュームを表すが、ウェル３２内、ガラススライド上、又はその他の基板上に分注された全流体の総相対ボリュームを表すため、拡張する円１２６を用いてもよい。電子表示装置上にユーザインターフェイス７０を表示するためのユーザインターフェイスは、ユーザインターフェイス７０のドロップダウンメニューから所望の視覚化表現を選択することにより、図１５と１６に示される両方の視覚化表現の種類を提供するよう構成されてよい。同様に、ユーザインターフェイス７０は、ウェルプレート２８の単一のウェル３２又は複数のウェル３２内の絶対ボリューム又は相対ボリュームを示すよう構成されてもよい。
【００６１】
図１７は、棒グラフ１２０、１２２、１２８と相対ボリューム円１３０を用いた、ウェルプレート２８のウェル３２内の流体の視覚化表現を示す。流体の最大ボリュームを表す棒グラフ１２８は、各ウェル内の流体ボリュームの好ましい比較を提供するため、他の流体を拡大縮小するために用いられる。ウェルプレート２８のごく一部のみが、列Ａ〜Ｅ、欄Ｗ〜Ｚのウェル内の流体の視覚化表現を提供する図１７の視覚化表示により表されている。分注された各流体の量は、列、欄、又は個別のセルにより異なる可能性がある。デジタル分注装置１４は、電子表示装置の使用により、流体の所定量を、ウェルプレート２８、ガラススライド、又はその他の基板の所定の位置に堆積するようプログラムされてもよい。
【００６２】
本明細書及び添付の特許請求の範囲で用いられる単数形「ａ」、「ａｎ」、「ｔｈｅ」は、明示的かつ明確に1つの指示物に限定されない限り、複数の指示物を含むことに留意されたい。本明細書で用いられる「ｉｎｃｌｕｄｅ」という用語およびその文法上の変形は、リスト内の項目の列挙が、リストされた項目を置換または追加できる他の同様の項目を除外しないよう、非限定的であることを意図している。
【００６３】
本明細書および添付の特許請求の範囲では、特に明記しない限り、量、比率又は割合を表す全ての数字及び本明細書及び特許請求の範囲で使用されるその他の数値は、全ての場合に用語「約」によって改変されると理解されるべきである。従って、そうでないと示されない限り、以下の明細書および添付の特許請求の範囲に記載される数値パラメータは、本開示により得ることが求められる所望の特性に応じて変わり得る近似値である。少なくとも、そして請求項の範囲に対する均等論の適用を制限する試みとしてではなく、各数値パラメーターは、少なくとも、述べられた有効数字の数を考慮し、そして通常の丸め手法を適用することにより、解釈されるべきである。
【００６４】
特定の実施形態について説明したが、出願人または他の当業者には、現在予測しない、又は予測できない、代替、修正、変形、改善、及び実質的な均等物が生じうる。従って、添付の提出された特許請求の範囲と修正された特許請求の範囲は、そのようなすべての代替、修正、変形、改善、及び実質的な均等物を包含することを意図している。
【図１】
2020126044.tif 000003
【図２】
2020126044.tif 000004
【図３】
2020126044.tif 000005
【図４】
2020126044.tif 000006
【図５】
2020126044.tif 000007
【図６】
2020126044.tif 000008
【図７】
2020126044.tif 000009
【図８】
2020126044.tif 000010
【図９】
2020126044.tif 000011
【図１０】
2020126044.tif 000012
【図１１】
2020126044.tif 000013
【図１２】
2020126044.tif 000014
【図１３】
2020126044.tif 000015
【図１４】
2020126044.tif 000016
【図１５】
2020126044.tif 000017
【図１６】
2020126044.tif 000018
【図１７】
2020126044.tif 000019
【手続補正書】
【提出日】令和2年5月1日(2020.5.1)
【手続補正１】
【補正対象書類名】特許請求の範囲
【補正対象項目名】全文
【補正方法】変更
【補正の内容】
【特許請求の範囲】
【請求項１】
デジタル分注装置から１以上の流体を吐出する方法であって、
（ａ）メモリに、前記デジタル分注装置から吐出される各前記１以上の流体の単位面積あたりのボリュームを入力するステップと、
（ｂ）前記単位面積あたりのボリュームを前記デジタル分注装置の装置解像度に符合させるステップと、
（ｃ）前記デジタル分注装置の流体吐出器を前記装置解像度にフォーマットするステップと、
（ｄ）各前記１以上の流体の前記単位面積あたりのボリュームを提供するため、前記デジタル分注装置から流体を吐出するステップと
を含む方法。
【請求項２】
前記単位面積あたりのボリュームが前記デジタル分注装置の前記装置解像度よりも大きい、
請求項１に記載の方法。
【請求項３】
前記単位面積あたりのボリュームが前記デジタル分注装置の前記装置解像度以下である、
請求項１に記載の方法。
【請求項４】
ステップ（ｄ）の後に、（ｅ）セパレータを入力するステップと、ステップ（ａ）〜（ｄ）を繰り返すことを更に含む、
請求項１に記載の方法。
【請求項５】
前記セパレータが流体堆積の間の待機時間を含む、
請求項４に記載の方法。
【請求項６】
前記セパレータが流体堆積の間の流体カートリッジ交換を含む、
請求項４に記載の方法。
【請求項７】
前記セパレータが流体堆積の間のユーザへの物理的性質フィードバックループを含む、
請求項４に記載の方法。
【請求項８】
前記セパレータが流体堆積の間のユーザへの化学的性質フィードバックループを含む、
請求項４に記載の方法。
【請求項９】
４０の異なる流体までの前記１以上の流体のためステップ（ｅ）を繰り返すことを更に含む、
請求項１に記載の方法。
【請求項１０】
（Ａ）１以上の第1の流体を吐出するためのデジタル分注装置と、
（Ｂ）各前記１以上の流体の単位面積あたりのボリュームをコンピュータのメモリに入力するための入力と、
（Ｃ）前記単位面積あたりのボリュームを前記デジタル分注装置の装置解像度に符合させるための変換装置と、
（Ｄ）前記デジタル分注装置の前記装置解像度に応じて前記デジタル分注装置の流体吐出器をフォーマットするためのプロセッサと、
（Ｅ）各前記１以上の流体の前記単位面積あたりのボリュームを提供するため、前記デジタル分注装置から前記１以上の第１の流体を吐出するための前記流体吐出器を含む第１の流体カートリッジと
を含む、流体分注システム。
【請求項１１】
前記単位面積あたりのボリュームが前記デジタル分注装置の前記装置解像度よりも大きい、
請求項１０に記載の流体分注システム。
【請求項１２】
前記単位面積あたりのボリュームが前記デジタル分注装置の前記装置解像度以下である、
請求項１０に記載の流体分注システム。
【請求項１３】
（Ｆ）前記第１の流体カートリッジにより堆積される各前記１以上の流体の間のセパレータ
を更に含む、
請求項１０に記載の流体分注システム。
【請求項１４】
前記セパレータが流体堆積の間の待機時間を含む、
請求項１３に記載の流体分注システム。
【請求項１５】
前記セパレータが流体堆積の間のユーザへの物理的性質フィードバックループを含む、
請求項１３に記載の流体分注システム。
【請求項１６】
前記セパレータが流体堆積の間のユーザへの化学的性質フィードバックループを含む、
請求項１３に記載の流体分注システム。
【請求項１７】
前記デジタル分注装置から１以上の第２の流体を吐出するための流体吐出器を含む第２の流体カートリッジ
を更に含む、
請求項１０に記載の流体分注システム。
【請求項１８】
（Ｆ）各前記１以上の第１の流体と、各前記１以上の第２の流体との間のセパレータ
を更に含み、
前記セパレータが前記第１の流体カートリッジから前記第２の流体カートリッジへの交換を含む、
請求項１７に記載の流体分注システム。
【請求項１９】
（Ｇ）前記第１の流体カートリッジにより吐出される各前記１以上の第１の流体の位置と前記単位面積あたりのボリュームを表すためのディスプレイ
を更に含む、
請求項１０に記載の流体分注システム。
【請求項２０】
（Ｇ）前記第２の流体カートリッジにより吐出される各前記１以上の第２の流体の位置と前記単位面積あたりのボリュームを表すためのディスプレイ
を更に含む、
請求項１７に記載の流体分注システム。
【手続補正２】
【補正対象書類名】明細書
【補正対象項目名】全文
【補正方法】変更
【補正の内容】
【発明の詳細な説明】
【技術分野】
【０００１】
［関連出願］
本願は、現在係属中である、２０１９年１月４日付で出願された仮出願番号６２／７８８，２９０の優先権を主張し、また、現在係属中である、２０１９年５月３０日付で出願された米国出願番号１６／４２６，１３７に関連する。
【０００２】
本開示は、基板の正確な領域に封じられた試料の分析を行うため、又は基板の所定の領域に材料の層を構築するため、基板の正確な領域上又は正確な領域内に1以上の流体を正確に分注するために用いられる装置と方法に関する。
【背景技術】
【０００３】
インクジェット装置といった装置は、通常、ピコリットルで測定される非常に小さなインクの液滴を基板上に分注できる。インクジェット印刷の応用では、堆積されるインクのボリュームは比較的少ない量であり、このボリュームは調色や印刷品質といった他の要因ほど重要ではない。液滴の数はユーザにより特定又は制御されず、このためユーザは特定の印刷の応用で必要とされるよりも多い又は少ないインク液滴の分注を特定することができない。典型的なインクジェットプリンタは、約２から約３μＬ／ｃｍ２の堆積に制限されている。
【０００４】
しかし、液体の正確な量を媒体上又は媒体内に分注することを要するその他の応答では、流体ボリュームは非常に重要及び／又は重大な要因でありうる。いくつかの応用にて、あるボリュームの流体を特定の領域内又は特定の領域上に堆積するよう特定することは有用でありうる。１つの例は、ウェルプレートのウェルに、単一の細胞を含む流体の単一の液滴を吐出する場合である。別の例としては、ウェルプレートの３８４個のウェルぞれぞれを充填するといった、ある大きな数の流体液滴を小さな領域内に分注する場合である。従って、ウェルプレートのウェル内に堆積される流体の密度は、２５０μＬ／ｃｍ２以上の流体の分注を要する可能性がある。同様に、ガラススライド上の試料を分析するためのガラススライド上への流体の堆積は、流体の厳密に制御された量がガラススライドの特定の領域上に堆積されることを要する。
【０００５】
特に、医療分野において、自動化された試料準備と分析の必要性がある。分析は、比色分析、又は顕微鏡下で試料をより好ましく観察するため、試料の着色を要する可能性がある。そのような分析は、薬剤試料分析、血液試料分析、等を含む。例えば、血液の分析において、血液は個人の健康を判定するために用いられるいくつかの異なる要因を提供するため分析される。血液試料分析を要する多くの患者がいる場合、手順は非常に時間がかかるものとなる。また、結果が信頼できるものであるよう、試料の正確な準備の必要がある。複数の試料の微量滴定といった、正確で再現可能な結果を提供する分析機器の使用の恩恵を受けることのできる医療分野やその他の分野において、試料分析を要するその他の多くの状況がある。
【０００６】
多くの実験と検査手順にて、ウェルプレート、スライド、そしてその他の基板が用いられる。ウェルを充填する又はスポッティングする手順は、手作業又は高価な検査機器を用いて行われることが多い。場合によっては、ウェルは手動ピペットで充填される。その他の場合では、ウェルプレートの充填はピペット技術に基づいた高性能自動装置が使用される。そのような自動装置はオープンウェル分注ヘッドを収容するのみである。オープンウェル分注ヘッドは、使用前に分注ヘッドの開口内に少量の流体が堆積されなければならない分注ヘッドである。流体は、典型的にピペット又は類似の方法で手動で堆積される。分注ヘッドは、マイクロウェルプレートをＸとＹ方向両方に動かす間、静止して保持される。これら高性能装置は非常に高価である。
【０００７】
マイクロ回路製造の分野において、基板上に回路装置を提供するため、流体は正確な位置に分注される必要がある。単位面積毎に分注される流体のボリュームは、典型的に、従来のインクジェット印刷技術により提供されるものよりも大きい。場合によっては、流体に化学的又は物理的変化を与えるため、異なる流体が基板上で共に組み合わされ、結果として生じる材料が所望の回路機能を果たすようにする。
【０００８】
マイクロ製造の他の分野も、基板内又は基板上の流体の正確な堆積を必要としうる。このため、基板の単位面積毎の所定のボリュームの1以上の流体の堆積を、プログラム、分注、そして視覚化するために用いることのできる方法と装置の必要性がある。
【発明の概要】
【０００９】
従って、本開示の１つの実施形態は、1以上の流体をデジタル分注装置から吐出するシステムと方法を提供する。方法は、（ａ）デジタル分注装置から吐出される１以上の流体のそれぞれの単位面積あたりのボリュームをメモリに入力するステップと、（ｂ）単位面積あたりのボリュームをデジタル分注装置の装置解像度に合わせるステップと、（ｃ）デジタル分注装置の流体吐出器を装置解像度にフォーマットするステップと、（ｄ）各１以上の流体の単位面積あたりのボリュームを提供するため、デジタル分注装置から流体を吐出するステップとを含む。
【００１０】
本開示のもう１つの実施形態は、流体分注システムを提供する。流体分注システムは、Ａ）デジタル分注装置から１以上の第１の流体を吐出する、デジタル分注装置と、Ｂ）コンピュータのメモリに１以上の第1の流体のそれぞれの単位面積あたりのボリュームを入力する、入力と、Ｃ）単位面積あたりのボリュームをデジタル分注装置の装置解像度に合わせる、変換装置と、Ｄ）デジタル分注装置の装置解像度に応じてデジタル分注装置の流体吐出器をフォーマットする、プロセッサと、Ｅ）各１以上の第１の流体の単位面積あたりのボリュームを提供するため、デジタル分注装置から１以上の第1の流体を吐出する流体吐出器を含む、第１の流体カートリッジとを含む。
【００１１】
１つの実施形態において、単位面積あたりのボリュームは、デジタル分注装置の装置解像度よりも大きい。別の実施形態において、単位面積あたりのボリュームは、デジタル分注装置の装置解像度よりも小さい。
【００１２】
いくつかの実施形態において、ステップ（ｅ）をさらに含み、ステップ（ｄ）の後にセパレータが入力され、ステップ（ａ）〜（ｄ）が繰り返される。
【００１３】
いくつかの実施形態において、セパレータは流体堆積の間の待機時間である。
【００１４】
他の実施形態において、セパレータは流体堆積の間の流体カートリッジ交換である。
【００１５】
いくつかの実施形態において、セパレータは流体堆積の間のユーザへの物理的性質のフィードバックループである。
【００１６】
他の実施形態において、セパレータは流体堆積の間のユーザへの化学的性質のフィードバックループである。
【００１７】
いくつかの実施形態において、セパレータが入力され、４０の異なる流体までを含む１以上の流体のため繰り返される。
【００１８】
いくつかの実施形態において、流体分注装置は、デジタル分注装置から１以上の第２の流体を吐出する流体吐出器を含む第２の流体カートリッジを含む。
【００１９】
いくつかの実施形態において、流体分注装置は、第１の流体カートリッジにより吐出される各１以上の流体の位置と単位面積あたりのボリュームを表すディスプレイを含む。
【００２０】
ここで説明されるシステムと方法は、１以上の流体の正確な量が基板の所定の領域に吐出されるよう、基板内又は基板上への１以上の流体の堆積を視覚化するために用いられてもよい。このため、システムと方法は、試料の分析を行うため、そして電子及びその他の装置のマイクロ製造のために用いられてもよい。
【００２１】
システムと方法は、特定ボリュームの流体を特定の領域上に正確に分注するための方法を提供し、潜在的に異なる流体を表す如何なる数のデータチャネルにも拡張可能な、画像のような形式でボリュームデータを表す方法を含む。加えて、方法は何層のデータにも拡張可能であり、各層はセパレータにより分離される。データは、プリンタ又は潜在的なその他の分注装置に流体を媒体内又は媒体上に正確に吐出させる方法で処理されてよい。
【図面の簡単な説明】
【００２２】
【図１】図１は、デジタル分注装置により用いられるデータの処理のフロー図である。
【図２】図２は、デジタル分注装置とそのユーザインターフェイスの斜視図である。
【図３】図３は、図２のデジタル分注装置の破断斜視図である。
【図４】図４は、画素位置に配置された流体液滴の画像表現である。
【図５】図５は、画素位置に配置された流体液滴の画像表現である。
【図６】図６は、図２デジタル分注装置からの流体を受け入れるトレイ上のマイクロウェルプレートの斜視図である。
【図７】図７は、図２のデジタル分注装置のＦＶＦデータを生成するフロー図である。
【図８】図８は、図２のデジタル分注装置を用いて基板上に流体の層を分注するための簡略化したフロー図である。
【図９】図９は、流体１からＮの、図２のデジタル分注装置により基板上に堆積された流体層の画像表現である。
【図１０】図１０は、図２のデジタル分注装置のための処理データのためのソフトウェアプログラムにより、基板上に流体を分注する処理フロー図である。
【図１１】図１１は、様々なデジタル分注装置の解像度に応じて、流体堆積のため総ボリュームがどう分割されるかの画像表現である。
【図１２】図１２は、様々なデジタル分注装置の解像度に応じて、流体堆積のため総ボリュームがどう分割されるかの画像表現である。
【図１３】図１３は、様々なデジタル分注装置の解像度に応じて、流体堆積のため総ボリュームがどう分割されるかの画像表現である。
【図１４】図１４は、様々なデジタル分注装置の解像度に応じて、流体堆積のため総ボリュームがどう分割されるかの画像表現である。
【図１５】図１５は、基板の特定の領域上又は特定の領域内に堆積された流体の、デジタルディスプレイ上の画像表示である。
【図１６】図１６は、基板の特定の領域上又は特定の領域内に堆積された流体の、デジタルディスプレイ上の画像表示である。
【図１７】図１７は、基板の特定の領域上又は特定の領域内に堆積された流体の、デジタルディスプレイ上の画像表示である。
【発明を実施するための形態】
【００２３】
従来のインクジェット印刷装置に対し、本開示の実施形態は、流体の所定の量の分注を制御するために要するボリューム／領域を定義するのに適した、独特なデータ形式を提供する。ここで説明されるデータ形式は「ＦＶＦ形式」として言及され、「ＦＶＦデータ」を含む。ＦＶＦ形式のデータは、特定の領域上に流体の特定のボリュームを正確に分注するため、流体分注装置に特有の方法で処理される。図１は、ＦＶＦ形式のための全体的な処理フロー１０を示す。デジタル分注装置１４（図２〜３）により用いられるようＦＶＦデータ１２をエンコードするため、ラスターといった既存の画像形式に似たデータ形式が用いられてよい。デジタル分注装置１４の破断図が図３に示され、取り外し可能なカートリッジ１５と、トレイ３０を横切るｘ軸方向にカートリッジを移動させる変換装置１７とを含む。カートリッジ１５は、単一の流体又は複数の流体と、基板上に流体を堆積させるための吐出ヘッドとを含んでよい。カートリッジ１５は取り外し可能であってよく、基板上の１以上の異なる流体の堆積のため、新たな又は異なるカートリッジがデジタル分注装置１４に取り付けられる。
【００２４】
従来の画像形式は、基板上の特定のｘ，ｙ位置で所望の色を特定する。従って、カートリッジがｘ方向で基板を横断する間、トレイ３０は基板をｙ方向に移動してもよい。従来の画像形式はインターリーブされることも多く、これは記述できるチャネルの数を制限する。これに対し、ＦＶＦ形式は各チャネルを分かれたプレーンとして記述し、如何なる数のプレーンもサポートする。従って、１つのデータセットに如何なる数の流体チャネルをも記述でき、チャネルデータをインターリーブするのではなく、各チャネルのデータを別々に記述するのに最も容易である。
【００２５】
単純な図示として、ＦＶＦデータは、図４に示されるように、画素２４のアレイ２２を定義してもよく、画素２４のアレイ２２内の数字は、特定の画素位置２６に分注される液滴数を示す。値０は０滴を意味し、１は１滴を意味し、２は２滴といったように意味する。ＦＶＦ形式は、多くのチャネル又は流体を、定義されるプレーン数を制限することなく、独立して定義することも可能とすると共に、吐出される流体組合せの層を特定する方法を可能とする。
【００２６】
アレイ２２に示されるように、画素位置２６は１８個の画素２４を含むと特定される。画素位置２６の所望の総量が１０，０００ｐＬであり、装置１４が１０ｐＬの液滴サイズを吐出すると仮定し、各画素２４の液滴数は次のように算出される：図４に示されるように、１０，０００ｐＬ／（１０ｐＬ／滴）／１８画素＝５５．５６滴／画素。
【００２７】
前記例は、画素あたり０．５６滴の総誤差、又は計１０．０８滴となる。残りの液滴は、様々な技術を用いて１８画素の目標画素位置２６上に容易に拡散されることができる。そのような結果の１つが図５に示され、１０個の画素２４の量に１滴が加えられる。従って、画素位置２６のＦＶＦデータ形式は、デジタル分注装置１４の１液滴サイズ以下内の精度を有する。
【００２８】
第２の、より具体的な図示として、流体のマイクロウェルプレート分注に一般的なボリュームと解像度を考える。デジタル分注装置のトレイ３０に設けられた従来のマイクロウェルプレート２８が図６に示される。マイクロウェルプレート流体分注の応用に要する流体ボリュームは、典型的に、インクジェット印刷の応用で要するボリュームの数倍である。例えば、９６ウェルマイクロウェルプレートは、通常円形である正確に寸法されたウェル３２を有する。マイクロウェルプレート２８のウェル３２内に直径４ｍｍの円形領域を用いて分注することを望む場合、ウェル３２の総面積は１２．５７ｍｍ２である。ウェルプレート面積を画素に変換するため、画素データの解像度が決定されなければならない。典型的なインクジェット解像度は３００ｄｐｉ（ｄｏｔｓ  ｐｅｒ  ｉｎｃｈ）である。３００ｄｐｉを装置解像度として用いると、１ｍｍ＝１１．８１／３００を得る。３００ｄｐｉ解像度に基づき、直径４ｍｍのウェルの面積計算は次のとおりである：
半径＝２ｍｍ＝１１．８１×２＝２３．６２／３００
面積＝３．１４１５×（２３．６２）２＝３００ｄｐｉで１７５２．６５画素
端数の画素などというものはないため、結果は１７５２画素に丸められる。
【００２９】
次に、これら１７５２画素の画素値が決定される。この例では次と仮定する：
所望の量＝１ｕＬ＝１，０００，０００ｐＬ
液滴量＝１０ｐＬ
【００３０】
一般的に、「所望のボリューム」は応用のパラメータであり、「液滴ボリューム」は流体を分注するために用いる流体吐出カートリッジの特性である。
【００３１】
直径４ｍｍのウェル３２に１０ｐＬの液滴を用いて１ｕＬを注ぐため、次が算出される：１，０００，０００÷１０＝１００，０００滴。
【００３２】
選択された領域に対し均一な適用が望まれると仮定し、１００，０００滴が画素領域に次のように拡散される：１００，０００／１７５２画素＝画素あたり５７．０８滴、画素あたり５７滴に丸められる。このため１７５２画素の各画素は、画素あたり５７滴の値を有する。前記は画素あたり−０．０８滴の誤差が許容可能と仮定しているが、誤差を相殺する方法がある。
【００３３】
ウェルプレート２８上の正しい位置に円形領域を配置するため、画素値０がウェル３２間の空間３４を意味するために用いられる。この方法を用い、液滴ボリュームと位置が特定できるラスタ形式が構築できる。
【００３４】
画素あたり５７滴に丸められた画素あたり５７．０８滴に関連づく誤差を減少させることが望まれる場合、僅かにより複雑なアルゴリズムをＦＶＦデータを生成するために用いることができる。より複雑なアルゴリズムの使用を理解するため、誤差は先ず画素あたり５７．０８滴を画素あたり５７滴に丸めるため次のように算出される：
画素あたり５７．０８滴×１７５２画素＝１００００４．１６滴
画素あたり５７滴×１７５２画素＝９９８６４滴
差異は１４０滴であり、大きな数字ではない。ただし、応用によっては１４０滴は重要でありえ、その他の例において誤差は０．０８ではなく０．４９でありえ、より大きな誤差となる。
【００３５】
１７５２画素の各画素に画素あたり５７滴を設定する代わりに、より正確な分注ボリュームを与えるため、丸め誤差を蓄積する方法を使用してもよい。この方法によれば、画素あたりの液滴は丸めるのではなく切り捨てられ（ｔｒｕｎｃａｔｅ）、画素あたり５７．０８滴は画素あたり５７滴となり、画素あたり５７．９９滴も画素あたり５７滴となる。各画素は次のように算出される：
実画素値＝実画素値＋蓄積された誤差
画素値＝ｔｒｕｎｃａｔｅ（実画素値）
蓄積された誤差＝（実画素値−画素値）
【００３６】
この方法により、誤差は蓄積され、上記例によれば切り捨て後の値が５７ではなく５８になるように、最終的に十分に蓄積される。前記方法は、誤差を１滴ボリューム以内に減少することができる。
【００３７】
上記例のＦＶＦデータは画素あたり１バイトとして説明したが、ＦＶＦデータは画素あたり１バイトに限定されない。ＦＶＦ形式自体は画素を記述するため如何なるバイト数を用いることも可能とするが、実際には画素あたり４バイトの最大値が、おそらく使用される最大値になる。
【００３８】
ＦＶＦデータの各組はヘッダと関連データとから成り、ヘッダは次を含むデータの様々な様態を記述するが、これに限定されない：
１．データ長
２．データ高
３．画素あたりのバイト
４．データチャネル数
５．水平画素解像度
６．垂直画素解像度
７．原基準ボリューム
８．最大値
９．ボリューム乗数
１０．最大周波数
ここで、「原基準ボリューム」はｐＬの値で定義され、通常は液滴ボリュームであるファイルを生成するために用いられる。原基準ボリュームは、異なる液滴ボリュームを変換するために用いられる。「最大値」は画素データ内に見つかる最大画素値として定義される。「ボリューム乗数」は、乗数として各画素に適用される値として定義され、潜在的にいくらかの分注ボリューム精度を犠牲にして、比較的低い画素データあたりのバイトにおける比較的高い量を表すために用いることができる。「最大周波数」は、デジタル分注装置１４の最高速度に影響しうる、データが分注される最大周波数を特定する値として定義される。
【００３９】
ヘッダにおけるＦＶＦデータの上記様態に加え、特定の応用のみが用い、その他の応用では無視される、応用固有値がヘッダデータに含まれ存在しうる。例えば、多くのインクジェットプリンタが、特定の流体吐出不良が発生することを防ぐため、データを効果的に拡散するためのシングリングとも呼ばれるディザリングのレベルを用いる。シングリングレベルのヘッダ値が、デジタル分注装置１４にデータをどう分注するかの情報を通信してもよく、異なる装置はシングリングレベルのヘッダ値を無視してもよい。
【００４０】
図７は、ＦＶＦデータ生成のフロー図である。処理の第１ステップ４２において、ボリュームを有する「ジョブ」の領域が識別され、各チャネルの領域あたりのボリュームが決定される。各ボリュームの形状は、正方形、円形、三角形、楕円形等、又はより複雑な形状を含む。ユーザは画像プログラムで形状を描くことができ、このため如何なる所望の形状、及び特定の領域において分注される画素あたりのボリュームも特定できる。このため、領域は異なる形状と異なる画素あたりのボリュームを有することができる。
【００４１】
処理の次のステップ４４において、特定の領域の画素数を決定するため、面積が算出される。画素数を決定するために用いる方法は、領域の形状による。非常に複雑な形状に対しては、算出方法は実際の画素数ではなく画素数の推定であってよい。最後に、ステップ４６において、ＦＶＦデータの各画素の値が決定される。前記処理は、特定の流体分注の応用により必要とされる各流体又はチャネルのため繰り返される。
【００４２】
前記ＦＶＦデータ記述は、もし概念が３次元流体分注の応用に拡張されるならば、３次元がｚ軸ではなく時間であっても、単一層に流体を分注するものとして捉えることができる。流体層の概念は多くの異なる応用で有用である。各流体層は、様々な理由により、層セパレータにより隣接層から分離されてよく、各流体層のパラメータは異なる応用で異なってよい。
【００４３】
いくつかの応用において、層セパレータは、分注された流体が乾燥するのに要する時間、分注された流体を適切に混合する時間、又は化学反応が完了する時間であってよい。その他の応用において、層セパレータは、第１のカートリッジからの第１の流体の後に第２の流体を分注することを要する場合、第２のカートリッジに変換する促しであってよい。いくつかの応用において、各カートリッジは、４つの流体といった、２以上の流体を分注してもよい。
【００４４】
その他の応用において、層セパレータは、次の流体層が分注される前に起こり得る、温度、硬さ、ｐＨ、密度、又はその他の物理的特性変化といった、層の何らか特性を測定する外部装置により供給される外部信号であってよい。層セパレータは、基板又は層を動かすこと、又は、格子を配置する、流体を乾燥または硬化させるため熱又は光を提供する、追加的な流体分注を含まない他の操作といった、流体分注ジョブのもう１つのステップを供給することのいずれかにより、基板又は層を何らかの方法で扱う外部装置であってよい。また別の応用において、層セパレータは、流体層分注の間の待機時間であってよい。本開示に基づき用いられうる層の数と層セパレータに特定の限定はない。図８は、流体分注ステップ間の層セパレータを伴い流体の層を分注する簡略化したフロー図５０を示す。特定の領域に分注される流体層が、デジタル分注装置１４により分注される流体１からＮについて、図９に概略的に示される。
【００４５】
上述したように、本開示による方法は、デジタル分注装置１４のためのＦＶＦデータをフォーマットし、入力は定義された領域上にもたらされる流体のボリュームである。前記計算により生成される入力データは、ＸとＹ軸の両方を効果的に表すのみならず、図９に概略的に示されるように量を表すＺ軸も導入する画像である。加えて、一度に１以上のチャネル又は流体を分注するとき、異なるチャネル又は流体をトレースするため４次元が導入される。
【００４６】
前記方法は、単一の操作で流体の全量をマイクロプレートのウェルにプリントする従来の電子分注システムに対して利点を提供する。前記方法は、複数の分注ヘッド経路と、吐出ヘッドの分注ヘッド列に沿った複数の流体吐出器にわたり、分注される流体のボリュームを拡散できる。これは、欠如または性能低下した流体吐出器の影響を最小限にする。所望の分注精度及び吐出器が正確に動作しない可能性により、使用する流体吐出器の最低数を特定又は算出できる。
【００４７】
図１０は、特定の流体分注タスクを完了するためデジタル分注装置１４による複数の流体の分注を順序付ける、コンピュータのメモリ又はデジタル分注装置１４のメモリに存在するソフトウェアプログラムにより実装される処理フロー図６０を示す。処理フロー図６０によると、ステップ６２にて流体分注タスクが識別される。識別されると、ステップ６４にて１以上の流体が同時又は連続して基板上に分注される。反応が起こることを要する場合、層セパレータ６６は、使用中の流体と実行中の特定の流体分注タスクに応じて大きく異なりうる、組み込まれた待機時間、色変化、温度変化、密度変化、又はその他の流体性質入力といったハードウェア入力６８、及び／又はユーザインターフェイス７０からのユーザ入力を提供する。ユーザ入力は、流体カートリッジ変更、流体選択変更、流体ボリューム変更、目視、又は流体分注タスクにより要されるその他のユーザ入力から選択されてよい。ステップ７２において、流体分注タスクを完了するため継続して流体を分注するか、ステップ７４にて流体分注タスクを完成するかが、ソフトウェアプログラムにより判定される。
【００４８】
従って、図１０に記載された分注システム処理は、流体分注タスク処理におけるエラー低減のため、自動化されたジョブを生成するため使用できる、及び／又は人間による入力を要する分析ステップを記述しシステムにより表示できる。
【００４９】
ＦＶＦデータは汎用的であり、ほとんどの部分はデジタル分注装置１４に特定されるものではない。ただし、応用レベルでは、デジタル分注装置１４の独特な特性が関わりうる。特定の装置又は応用では、実行できる流体分注ジョブの範囲が非常に狭い可能性が高い。例えば、デジタル分注装置は、マイクロウェルプレート内又は基板上に流体を印刷又は分注するのみでありうる。また、デジタル分注装置は、ウェル内に一度に１つ流体を分注するピペット機器の使用といった、非常に特殊な方法で流体堆積タスクを実行しうる。従って、ＦＶＦデータの処理は装置により様々である。
【００５０】
再び図１を参照し、最初のステップ１６はＦＶＦデータを電子装置１４の出力解像度に符合するよう処理する。ＦＶＦデータを符合させることは、解像度のアップサンプル又はダウンサンプルと共に、原基準ボリュームを用いた倍率を含んでよい。例えば、ＦＶＦデータが６００×６００ｄｐｉだがデジタル分注装置の出力が１２００×１２００ｄｐｉの場合、ＦＶＦデータの解像度変更が必要となる。１２００×１２００ｄｐｉの解像度は、水平に入力ＦＶＦデータの２倍の画素があり、Ｙ又は垂直面に入力ＦＶＦデータの２倍の画素があることを意味する。６００×６００ｄｐｉの１つの画素は、同一の領域に１２００×１２００ｄｐｉの４つの画素を含むことができる。層の流体の総ボリュームが一定に保たれる場合、流体のボリュームは６００×６００ｄｐｉの画素を１２００×１２００ｄｐｉの画素上に拡張するために分割される必要がある。
【００５１】
図１１〜１４は、総ボリュームが異なる装置解像度にどう分割されるかを示す。例えば、図１１を参照し、ＦＶＦデータが６００×６００ｄｐｉの画素（画素領域８０）に２０滴の流体を要し、画素領域８２の装置解像度が６００×１２００ｄｐｉの場合、２０滴は、特定の画素領域に流体の均等なボリュームを得るため、画素領域８２の６００×１２００ｄｐｉの各画素には１０滴が分注され、画素領域８４の１２００×１２００ｄｐｉの各画素には５滴が分注される。
【００５２】
図１２は、奇数の流体液滴が分注される例を示す。例えば、ＦＶＦデータが画素領域９０に６００×６００ｄｐｉで２５滴の流体を要する場合、画素領域９２の６００×１２００ｄｐｉの画素は、２５滴を提供するために、画素領域９２の１つの部分に１２滴、画素領域９２の他の部分に１３滴を要する。同様に、画素領域９４の１２００×１２００ｄｐｉの画素は、２５滴を得るため、画素領域９４の３つの部分に６滴、画素領域９４の１つの部分に７滴を要する。
【００５３】
図１３に示される別の例において、ＦＶＦデータが解像度６００×６００ｄｐｉで画素領域１００に２滴を要する場合、６００×１２００ｄｐｉの画素は画素領域１０２の各部に１滴を要する。ただし、１２００×１２００ｄｐｉの画素の画素領域１０４は画素領域１０４の２つの部分に１滴、画素領域１０４の他の２つの部分には０滴を有する。
【００５４】
図１４は、ＦＶＦデータがデジタル分注装置よりも高い解像度である状況を示す。この場合、ＦＶＦデータはダウンサンプルされる必要がある。従って、装置解像度が３００×３００ｄｐｉ出力の場合、画素領域１１０の６００×６００ｄｐｉの画素は、１つの３００×３００ｄｐｉの画素領域１１２に組み合わされなければならず、示されるように画素領域１００の４画素の合計となる。
【００５５】
再度図１を参照し、処理の次のステップ１８はボリュームデータの変換である。ヘッダ情報からの原基準ボリュームに基づき、装置液滴サイズが原基準ボリュームに符合しない場合、画素値を流体カートリッジの液滴サイズに変換する必要がある。このような状況は、ＦＶＦデータが異なる装置又はカートリッジのために生成された場合、又は同じ装置だがカートリッジの流体特性が原基準ボリュームに符合しない場合に起こる。流体によっては同一のカートリッジ内に異なる液滴ボリュームを有する可能性がある。ステップ１８は、処理においてステップ１６の前、又はステップ１６と同時に行われてもよい。
【００５６】
最後のステップ２０は、改変されたＦＶＦデータを取得し、デジタル分注装置１４が認識するデータストリーム内にＦＶＦデータをフォーマットすることである。ステップ２０は装置１４自身、又は装置１４にフォーマットされたデータを供するホストアプリケーションで行われてもよい。ステップ２０で生成されたフォーマットは、装置１４の印刷データの典型である。
【００５７】
開示された実施形態の利点のいくつかには次を含むが、これに限定されない：
１）特定の領域に分注される流体の量を正確に特定する能力
２）流体堆積を如何なる数のチャネルにも拡張する能力
３）大きなボリュームを扱うため、基準ボリュームとボリューム乗数を用いて流体のボリュームを拡大縮小する能力
４）画素あたりのバイト数を特定する能力
５）層と、分注処理の間に様々な動作又は待機時間を可能とする流体分注ステップ間の層セパレータの使用
６）媒体上又は媒体内に正確に流体を分注するため、広範な流体分注装置により使用されることができる形式にデータを変換する能力
【００５８】
デジタル分注装置により分注された流体を視覚化するため、領域あたりの流体ボリューム情報が、領域を表すＸとＹ軸両方と、流体１からＮのボリュームを表すＺ軸を表す、図１５〜１７に示されるような図形画像として、ユーザインターフェイス７０に表示されてよい。加えて、一度に１以上のチャネル又は流体を分注するとき、異なるチャネル又は流体を追跡するため４次元が導入される。
【００５９】
医療マイクロウェルプレート２８、ガラススライド、又はその他の基板といった、ボリュームが重要な入力である応用で流体を分注するとき、使用される各流体のボリュームの有用な視覚化表現をユーザに表示できることが重要である。ウェル３２によっては大きなボリュームを保持できることから、最大ボリュームの流体を最大として用い、残りの流体を最大ボリュームの流体に対し拡大縮小する相対ボリューム表示が、液体を相互に比較する1つの方法である。絶対ボリューム比率は、流体量が視覚的に有用な情報を提供するのに十分でない可能性があることから、大きなウェル内の流体には有用でない。
【００６０】
図１５において、２つの流体のための棒グラフ１２０と１２２が、ウェルプレート２８の単一のウェル３２内、ガラススライド上、又はその他の基板上の、各流体の相対ボリュームを表し、１２４は分注された流体の絶対総ボリュームを表す。図１６において、２つの流体のための棒グラフ１２０と１２２は、繰り返しとなるが、スライド上又はウェルプレート２８の単一のウェル３２内の各流体の相対ボリュームを表すが、ウェル３２内、ガラススライド上、又はその他の基板上に分注された全流体の総相対ボリュームを表すため、拡張する円１２６を用いてもよい。電子表示装置上にユーザインターフェイス７０を表示するためのユーザインターフェイスは、ユーザインターフェイス７０のドロップダウンメニューから所望の視覚化表現を選択することにより、図１５と１６に示される両方の視覚化表現の種類を提供するよう構成されてよい。同様に、ユーザインターフェイス７０は、ウェルプレート２８の単一のウェル３２又は複数のウェル３２内の絶対ボリューム又は相対ボリュームを示すよう構成されてもよい。
【００６１】
図１７は、棒グラフ１２０、１２２、１２８と相対ボリューム円１３０を用いた、ウェルプレート２８のウェル３２内の流体の視覚化表現を示す。流体の最大ボリュームを表す棒グラフ１２８は、各ウェル内の流体ボリュームの好ましい比較を提供するため、他の流体を拡大縮小するために用いられる。ウェルプレート２８のごく一部のみが、列Ａ〜Ｅ、欄Ｗ〜Ｚのウェル内の流体の視覚化表現を提供する図１７の視覚化表示により表されている。分注された各流体の量は、列、欄、又は個別のセルにより異なる可能性がある。デジタル分注装置１４は、電子表示装置の使用により、流体の所定量を、ウェルプレート２８、ガラススライド、又はその他の基板の所定の位置に堆積するようプログラムされてもよい。
【００６２】
本明細書及び添付の特許請求の範囲で用いられる単数形「ａ」、「ａｎ」、「ｔｈｅ」は、明示的かつ明確に1つの指示物に限定されない限り、複数の指示物を含むことに留意されたい。本明細書で用いられる「ｉｎｃｌｕｄｅ」という用語およびその文法上の変形は、リスト内の項目の列挙が、リストされた項目を置換または追加できる他の同様の項目を除外しないよう、非限定的であることを意図している。
【００６３】
本明細書および添付の特許請求の範囲では、特に明記しない限り、量、比率又は割合を表す全ての数字及び本明細書及び特許請求の範囲で使用されるその他の数値は、全ての場合に用語「約」によって改変されると理解されるべきである。従って、そうでないと示されない限り、以下の明細書および添付の特許請求の範囲に記載される数値パラメータは、本開示により得ることが求められる所望の特性に応じて変わり得る近似値である。少なくとも、そして請求項の範囲に対する均等論の適用を制限する試みとしてではなく、各数値パラメーターは、少なくとも、述べられた有効数字の数を考慮し、そして通常の丸め手法を適用することにより、解釈されるべきである。
【００６４】
特定の実施形態について説明したが、出願人または他の当業者には、現在予測しない、又は予測できない、代替、修正、変形、改善、及び実質的な均等物が生じうる。従って、添付の提出された特許請求の範囲と修正された特許請求の範囲は、そのようなすべての代替、修正、変形、改善、及び実質的な均等物を包含することを意図している。
【符号の説明】
【００６５】
１０：ＦＶＦ形式の処理フロー
１２：ＦＶＦデータ
１４：デジタル分注装置
１５：取り外し可能なカートリッジ
１７：変換装置
２２：アレイ
２４：画素
２６：画素位置
２８：マイクロウェルプレート
３０：トレイ
３２：ウェル
６０：処理フロー図
７０：ユーザインターフェイス
８０、８２、８４、９０、９２、９４、１００、１０２、１０４、１１０、１１２：画素領域
１２０、１２２、１２８：棒グラフ
１３０：相対ボリューム円
【手続補正３】
【補正対象書類名】図面
【補正対象項目名】図３
【補正方法】変更
【補正の内容】
【図３】
2020126044.tif 000020
【外国語明細書】
2020126044.tif 000021
2020126044.tif 000022
2020126044.tif 000023
2020126044.tif 000024
2020126044.tif 000025
2020126044.tif 000026
2020126044.tif 000027
2020126044.tif 000028
2020126044.tif 000029
2020126044.tif 000030
2020126044.tif 000031
2020126044.tif 000032
2020126044.tif 000033
2020126044.tif 000034
2020126044.tif 000035
2020126044.tif 000036
2020126044.tif 000037
2020126044.tif 000038
【図１】
2020126044.tif 000039
【図２】
2020126044.tif 000040
【図３】
2020126044.tif 000041
【図４】
2020126044.tif 000042
【図５】
2020126044.tif 000043
【図６】
2020126044.tif 000044
【図７】
2020126044.tif 000045
【図８】
2020126044.tif 000046
【図９】
2020126044.tif 000047
【図１０】
2020126044.tif 000048
【図１１】
2020126044.tif 000049
【図１２】
2020126044.tif 000050
【図１３】
2020126044.tif 000051
【図１４】
2020126044.tif 000052
【図１５】
2020126044.tif 000053
【図１６】
2020126044.tif 000054
【図１７】
2020126044.tif 000055